(57)【要約】【課題】特別な設備を必要とせずカードや添付文書を保護しバラけることなく商品とともに収納かつ取り出し可能な容器を提供すること。【解決手段】内面にポケット（１）を有するカートンであって、前記ポケット（１）は、コの字状の糊付部（３）で３方が内面に糊付されているフィルム（２）からなることを特徴とする内ポケット付きカートン。前記カートンは、前記フィルム（２）が糊付されている内面が側壁の内面であり、前記３方が、左方、下方、右方の３方であることが好ましい。【選択図】図１
2018118745.tif 000002
【特許請求の範囲】
【請求項１】
内面にポケットを有するカートンであって、
前記ポケットは、コの字状の糊付部で３方が内面に糊付されているフィルムからなることを特徴とする内ポケット付きカートン。
【請求項２】
前記フィルムが糊付されている内面が側壁の内面であり、
前記３方が、左方、下方、右方の３方であることを特徴とする内ポケット付きカートン。
【発明の詳細な説明】
【技術分野】
【０００１】
本発明は、内ポケット付きカートンに関する。
【背景技術】
【０００２】
従来から、紙箱或いはカートンなどの容器の内部に、商品とともに、商品の景品としてトレーディングカードなどのカード、或いは、商品の説明書や能書などの添付文書も入れることが行われている（例えば特許文献１参照）。
【０００３】
また、従来から、トレーディングカードは、汚れたり、傷付かないように軟包材で包装されることがあり、この場合、特に、トレーディングカードを軟包材で包装するための設備が必要になるという欠点がある。
【０００４】
また、添付文書を容器に挿入する場合、添付文書を先に入れるとバラけて、商品を入れることが出来なくなることがあるという欠点もある。
【先行技術文献】
【特許文献】
【０００５】
【特許文献１】特開２００３−２００６７６号公報
【発明の概要】
【発明が解決しようとする課題】
【０００６】
本発明は、このような欠点に鑑みてなされたもので、特別な設備を必要とせずカードや添付文書を保護しバラけることなく商品とともに収納かつ取り出し可能な容器を提供することを課題とする。
【課題を解決するための手段】
【０００７】
本発明において上記課題を解決するために、まず請求項１の発明では、
内面にポケットを有するカートンであって、
前記ポケットは、コの字状の糊付部で３方が内面に糊付されているフィルムからなることを特徴とする内ポケット付きカートンとしたものである。
【０００８】
また、請求項２の発明では、
前記フィルムが糊付されている内面が側壁の内面であり、
前記３方が、左方、下方、右方の３方であることを特徴とする内ポケット付きカートンとしたものである。
【発明の効果】
【０００９】
請求項１に係る発明は、内面にポケットを有するカートンであるので、商品を収納するとともに、カード、添付文書のいずれか、或いは、双方を、ポケットに入れたり、ポケットから取り出したりすることができ、ポケットに入れることで、カード、添付文書のいずれか、或いは、双方を、ポケットで保護し、バラけることなくポケットに収納することができるという効果がある。このため、請求項１に係る発明は、ケーキのように周囲を汚す恐れのある商品を収納する場合でも、カード、添付文書のいずれか、或いは、双方を、そのまま、ポケットに入れても、汚れずに済むという効果がある。また、請求項１に係る発明は、カード、添付文書のいずれか、或いは、双方を、ポケットに入れると、バラけることなく内面に固定されるので、先に、カード、添付文書のいずれか、或いは、双方をポケ
ットに入れた後に、商品を収納することができるという効果もある。
【００１０】
また、請求項１に係る発明は、前記ポケットは、コの字状の糊付部で３方が内面に糊付されているフィルムからなるので、窓貼り機で、エマルジョンの糊を用いて、コの字状の糊付部を形成して、フィルムを貼り付けてポケットを作成できるため、特別な設備を必要せずに製造できるという効果がある。
【００１１】
また、請求項２に係る発明は、前記フィルムが糊付されている内面が側壁の内面であり、前記３方が、左方、下方、右方の３方であるので、上記請求項１の発明の効果に加えて、商品を収納した状態では、商品の重さで、側壁とともに、この側壁の内面に有るポケットが固定されるので、カード、添付文書のいずれか、或いは、双方を、ポケットに入れたり、ポケットから取り出したりすることが片手で容易にできるという効果もある。
【００１２】
以上、本発明は、特別な設備を必要とせずカードや添付文書を保護しバラけることなく商品とともに収納かつ取り出し可能な容器を提供することができるという効果がある。
【図面の簡単な説明】
【００１３】
【図１】本発明の一実施形態であるカートンのブランクを示す平面図。
【図２】本発明の一実施形態であるカートンで天面を開けている状態を示す斜視図。
【発明を実施するための形態】
【００１４】
以下に、本発明の一実施形態を説明する。
【００１５】
本発明の一実施形態は、図１に示すような、側壁１１を構成する左側壁板１１ａと後側壁板１１ｂと右側壁板１１ｃと前側壁板１１ｄと接着板１１ｅとが、この順に、折り曲げ線を介して連接され、底面１２を構成する左底面板１２ａと後底面板１２ｂと右底面板１２ｃと前底面板１２ｄとが、それぞれ、折り曲げ線を介して、左側壁板１１ａ、後側壁板１１ｂ、右側壁板１１ｃ、前側壁板１１ｄの下方に連接され、天面１３を構成する左天面板１３ａと後天面板１３ｂと右天面板１３ｃと前天面板１３ｄとが、それぞれ、折り曲げ線を介して、左側壁板１１ａ、後側壁板１１ｂ、右側壁板１１ｃ、前側壁板１１ｄの上方に連接され、後側壁板１１ｂにおいて、左側壁板１１ａ側の左方、後底面板１２ｂ側の下方、右側壁板１１ｃ側の右方の３方それぞれに糊が塗布されて形成されたコの字状の糊付部３で、後側壁板１１ｂにフィルム２が糊付されてポケット１が設けられているブランクから組み立てられたカートンであって、
ポケット１を内側にして、接着板１１ｅが左側壁板１１ａの左端に接着剤で接着され、左底面板１２ａと右底面板１２ｃとが折り曲げられ、これら左底面板１２ａと右底面板１２ｃとに重ねて、後底面板１２ｂと前底面板１２ｄとが折り曲げられるとともに、これら後底面板１２ｂと前底面板１２ｄとが互いに接着剤で接着されて、図２に示すような、側壁１１と底面１２とを有し、側壁１１の内面にポケット１を備え、天面１３が開いているカートンである。
【００１６】
本発明の一実施形態のカートンは、開いている天面１３から、商品を収容し、カード、添付文書のいずれか、或いは、双方を、ポケット１に入れることができる。この場合、先に商品を収容すれば、商品の重さで、側壁ととともに、側壁の内面に設けられているポケット１が固定されて、カード、添付文書のいずれか、或いは、双方を、ポケット１に入れることが片手で容易にできる。また、カード、添付文書のいずれか、或いは、双方を、ポケット１に入れれば、バラけることなく側壁の内面に固定されるので、先に、カード、添付文書のいずれか、或いは、双方をポケット１に入れた後に、商品を収納することもできる。
【００１７】
また、本発明の一実施形態のカートンは、開いている天面１３から、商品を収容し、カード、添付文書のいずれか、或いは、双方を、ポケット１に入れた後に、左天面板１３ａと右天面板１３ｃとを折り曲げ、これら左天面板１３ａと右天面板１３ｃとに重ねて、後天面板１３ｂと前天面板１３ｄとを折り曲げるとともに、これら後天面板１３ｂと前天面板１３ｄとを互いに接着剤で接着して、天面１３を閉じて、商品とともに、カード、添付文書のいずれか、或いは、双方を密封できる。
【００１８】
そして、本発明の一実施形態のカートンは、互いに接着剤で接着されている後天面板１３ｂと前天面板１３ｄとを剥がして、天面１３を再び開けることで、カード、添付文書のいずれか、或いは、双方を、ポケット１から出し、商品を取り出すことができる。この場合、先に、カード、添付文書のいずれか、或いは、双方を、ポケット１から出せば、商品の重さで、側壁とともに、側壁の内面に設けられているポケット１が固定されて、カード、添付文書のいずれか、或いは、双方を、ポケット１から出すことが片手で容易にできる。そして、商品が収納されている限り、商品の重さで、側壁とともに、側壁の内面に設けられているポケット１が固定されて、何度でも、カード、添付文書のいずれか、或いは、双方を、ポケット１から出したり、ポケット１に入れたりすることが片手で容易にできる。
【００１９】
さらに、本発明の一実施形態のカートンは、再び開けた天面１３から、再び、商品を収容するとともに、カード、添付文書のいずれか、或いは、双方を、ポケット１に入れることもできる。この場合でも、先に商品を収容すれば、商品の重さで、側壁とともに、側壁の内面に設けられているポケット１が固定されて、カード、添付文書のいずれか、或いは、双方を、ポケット１に入れることが片手で容易にできる。また、カード、添付文書のいずれか、或いは、双方を、ポケット１に入れれば、バラけることなく側壁の内面に固定されるので、先に、カード、添付文書のいずれか、或いは、双方をポケット１に入れた後に、商品を収納することもできる。
【００２０】
本発明の一実施形態のカートンでは、カード、添付文書のいずれか、或いは、双方を、ポケット１に入れるので、カード、添付文書のいずれか、或いは、双方は、ポケット１で保護される。このため、ケーキのように周囲を汚す恐れのある商品を収納する場合でも、カード、添付文書のいずれか、或いは、双方を、そのまま、ポケットに入れても、汚れずに済む。
【００２１】
本発明の一実施形態のカートンが組み立てられるブランクは、板紙を印刷し打ち抜き加工した後に、この板紙の裏面に、窓貼り機で、エマルジョンの糊を用いて、コの字状の糊付部を形成して、フィルムを貼り付けてポケットを形成することで製造される。
【００２２】
窓貼り機は、一般に、カートンの窓を貼るのに用いられているので、ポケットを設けるのに、特別な設備を必要としない。
【００２３】
板紙としては、例えば、コートボール、カード紙を用いることができ、コートボールとしては、例えば、王子マテリアル株式会社のサンコートやＯＫボール等を用いることができ、カード紙としては、例えば、日本製紙株式会社のＪＥＴエースＷ、北越紀州製紙株式会社のＮＥＷ−ＤＶ等を用いることができる。
【００２４】
フィルムとしては、無延伸ポリプロピレン（ＣＰＰ）フィルム、ポリエチレンテレフタレート（ＰＥＴ）フィルム等で、厚さ１５μｍ〜１００μｍのものを用いることができる。
【００２５】
エマルジョンの糊としては、例えば、日栄化工株式会社のライフボンドＡＶ−６５０Ｙ６Ｌ等を用いることができる。
【符号の説明】
【００２６】
１…ポケット
２…フィルム
３…糊付部
１１…側壁
１２…底面
１３…天面
１１ａ…左側壁板
１１ｂ…後側壁板
１１ｃ…右側壁板
１１ｄ…前側壁板
１１ｅ…接着板
１２ａ…左底面板
１２ｂ…後底面板
１２ｃ…右底面板
１２ｄ…前底面板
１３ａ…左天面板
１３ｂ…後天面板
１３ｃ…右天面板
１３ｄ…前天面板
【図１】
2018118745.tif 000003
【図２】
2018118745.tif 000004